(57)【要約】【課題】有機物質を快速に分解でき、廃水と臭気の公害問題を回避できる有機物質分解装置を提供する。【解決手段】収容空間１及び収容空間１を密封するためのカバー２を有する。収容空間１は、内部に動力源１１に駆動されるミキサーがあり、底部に排出ゲート１３があり、壁面に循環オイルタンクがある。循環オイルタンクは、燃焼ヒータ３と連接している。燃焼ヒータ３がオイル輸送管路２６を通して循環オイルタンクと貯油タンク６とに連接し、循環オイルタンクと貯油タンク６とに輸送される高温オイルが収容空間１内に設置されるものを間接で加熱する。カバー２にはオープン可能な入りゲート２１が設けてあり、一つの圧力制限バルブが設けてあり、圧力制限バルブは管路２３を通して燃焼ヒータ３と連接している。【選択図】図１
0003121417.tif 000002
【実用新案登録請求の範囲】
【請求項１】
一つの収容空間を有し、前記収容空間には収容空間を密封するためのカバーが設けてあり、前記収容空間内には動力源に駆動されるミキサーが一セット設けてあり、前記収容空間の底部にはオープン可能な排出ゲートが設けてあり、前記収容空間の壁面に循環オイルタンクが設けてあり、前記循環オイルタンクが燃焼ヒータと連接する有機物質分解装置において、
前記燃焼ヒータがオイル輸送管路を通して前記循環オイルタンクと貯油タンクとに連接し、前記循環オイルタンクと貯油タンクとに輸送される高温オイルが収容空間内に設置されるものを間接で加熱し、前記カバーにはオープン可能な入りゲートが設けてあり、一つの圧力制限バルブが設けてあり、前記圧力制限バルブは一つの管路を通して燃焼ヒータと連接し、収容空間内に発生したガスの圧力が設定圧力に到達するときに、圧力コントローラが起動されてファンを駆動して前記ガスを燃焼ヒータ内に輸送して燃焼させることを特徴とする有機物質分解装置。
【考案の詳細な説明】
【技術分野】
【０００１】
本考案は、有機物質分解装置に係り、特に、処理しようとする有機物質を密封式の収容空間に投入することにより、有機物質を快速に分解することができる有機物質分解装置に関するものである。
【背景技術】
【０００２】
目下、有機廃棄物の処理方法において、有機廃棄物に発酵菌種を添加して攪拌して、発酵菌種により有機廃棄物を自然に分解して有機肥料にすることが多い。
上記方法の長所は処理プロセスが極めて簡単であることだが、廃水と臭気との公害問題があり、且つ発酵期間は２ヶ月以上も掛かり、分解過程中に発酵不完全の問題もよくある。
【０００３】
発酵菌種によって有機廃棄物を分解する時間を加速するために、加熱された攪拌タンク内に有機廃棄物と発酵菌種とを入れて攪拌することが多い。これにより、有機廃棄物の分解が加速され、発酵も完全になる。
しかしながら、上記方法は、加熱と攪拌とを同時に実施し、そうすると、発酵によって発生するガス（臭気）はもっと多量に発生する問題がある。
【考案の開示】
【考案が解決しようとする課題】
【０００４】
本考案の主な目的は、処理しようとする有機物質を密封式の収容空間に投入することにより、有機物質を快速に分解することができ、且つ廃水と臭気との公害問題を回避できる有機物質分解装置を提供する。
【課題を解決するための手段】
【０００５】
上記目的を達成するためになされた本考案は、一つの収容空間を有し、前記収容空間には収容空間を密封するためのカバーが設けてあり、前記収容空間内には動力源に駆動されるミキサーが一セット設けてあり、前記収容空間の底部にはオープン可能な排出ゲートが設けてあり、前記収容空間の壁面に循環オイルタンクが設けてあり、前記循環オイルタンクが燃焼ヒータと連接する有機物質分解装置において、前記燃焼ヒータがオイル輸送管路を通して前記循環オイルタンクと貯油タンクとに連接し、前記循環オイルタンクと貯油タンクとに輸送される高温オイルが収容空間内に設置されたものを間接で加熱し、なお、前記カバーにはオープン可能な入りゲートが設けてあり、一つの圧力制限バルブが設けてあり、前記圧力制限バルブは一つの管路を通して燃焼ヒータと連接し、収容空間内に発生したガスの圧力が設定圧力に到達するときに、圧力コントローラが起動されてファンを駆動して前記ガスを燃焼ヒータ内に輸送して燃焼させることを特徴とする有機物質分解装置であることを要旨としている。
【０００６】
本考案では、前記カバーの内壁面には蒸気管路が巻いて設けてあり、前記蒸気管路にはリリーフ穴が多数に開設してあり、前記蒸気管路は燃焼ヒータに加熱される水蒸気発生器と連接し、前記蒸気管路に開設されたリリーフ穴から放出された水蒸気は収容空間内に設置されたものに対して湿度調整および脱臭処理をすることを特徴とする請求項１に記載の有機物質分解装置であることを要旨としている。
本考案に係る有機物質分解装置によれば、処理しようとする有機物質を密封式の収容空間に投入することにより、有機物質を快速に分解することができ、且つ廃水と臭気との公害問題を回避することができる。
【考案を実施するための最良の形態】
【０００７】
以下、添付図面を参照して本考案の好適な実施の形態を詳細に説明する。
まず、図１から図４を参照する。図面に示す本考案に係る実施例の構造は、本考案を説明するために挙げた例であり、実用新案登録請求の範囲を限定するためのものではない。
図１に示すのは本考案の一実施例による有機物質分解装置であり、一つの収容空間１を有し、前記収容空間１には収容空間１を密封するためのカバー２が設けてあり、前記収容空間１内には動力源１１に駆動されるミキサー１２が一セット設けてあり、前記収容空間１の底部にはオープン可能な排出ゲート１３が設けてあり、前記収容空間１の壁面に循環オイルタンク１４が設けてあり、前記循環オイルタンク１４が燃焼ヒータ３と連接し、前記燃焼ヒータ３がオイル輸送管路２６を通して前記循環オイルタンク１４と貯油タンク６とに連接し、前記循環オイルタンク１４と貯油タンク６とに輸送される高温オイルが収容空間１内に設置されたものを間接で加熱する。
【０００８】
また、図２から図４を参照する。前記カバー２には、オープン可能な入りゲート２１が設けてあり、一つの圧力制限バルブ２２が設けてあり、前記圧力制限バルブ２２は一つの管路２３を通して燃焼ヒータ３と連接し、収容空間１内に発生したガスの圧力が設定圧力に到達するときに、圧力コントローラ２７が起動されてファン５を駆動して前記ガスを燃焼ヒータ３内に輸送して燃焼させる。
【０００９】
また、前記カバー２の内壁面には蒸気管路２４が巻いて設けてあり、前記蒸気管路２４にはリリーフ穴２５が多数に開設してあり、前記蒸気管路２４は燃焼ヒータ３に加熱される水蒸気発生器４と連接し、前記蒸気管路２４に開設されたリリーフ穴２５から放出された水蒸気は収容空間１内に設置されたものに対して湿度調整および脱臭処理をする。
【００１０】
また、前記収容空間１内に設置された有機物質の分解過程中に発生する廃水は攪拌の過程中に蒸発し、蒸発した廃水と攪拌の過程中に発生したガスとは前記カバー２に設けた圧力制限バルブ２２と管路２３とにより燃焼ヒータ３に輸送して燃焼され、これにより、廃水と臭気との公害問題を回避することができる。
【図面の簡単な説明】
【００１１】
【図１】本考案の一実施例による有機物質分解装置のレーアウトを示す概略図である。
【図２】本考案の一実施例による有機物質分解装置の構造を示す概略図１である。
【図３】本考案の一実施例による有機物質分解装置の構造を示す概略図２である。
【図４】本考案の一実施例による有機物質分解装置の構造を示す概略図３である。
【符号の説明】
【００１２】
１  収容空間、２  カバー、３  燃焼ヒータ、４  水蒸気発生器、５  ファン、６  貯油タンク、１１  動力源、１２  ミキサー、１３  排出ゲート、１４  循環オイルタンク、２１  入りゲート、２２  圧力制限バルブ、２３  管路、２４  蒸気管路、２５  リリーフ穴、２６  オイル輸送管路
【図１】
0003121417.tif 000003
【図２】
0003121417.tif 000004
【図３】
0003121417.tif 000005
【図４】
0003121417.tif 000006